(57)【要約】【課題】風呂釜の洗浄をする際において、洗浄のための湯水や洗剤の使用量の節約を図ることができ、かつ、洗浄時間の短縮を図ることが可能な風呂釜洗浄用容器を提供する。【解決手段】枠体２０は、循環口３を囲む断面視凹状の溝部を備えており、循環口３を囲むようにして浴槽１に当接されている。シリンダ４０は上方に開口し、内部に上下動自在にピストン４１が収容され、ピストン４１により区画された密閉室４５が溝部への空気の流出を阻止する第１の逆流防止弁を介して連通している。枠体２０の溝部の開口側を浴槽１の内壁２に押し当ててあてがい溝部内を閉空間とした状態で、ピストン４１を上方に引き上げて密閉室４５および溝部内を負圧状態とすることにより風呂釜洗浄用容器１０を浴槽１に吸着させる。【選択図】図１
0003210746.tif 000002
【実用新案登録請求の範囲】
【請求項１】
風呂釜に連通し浴槽に開口する循環口を覆うように配置され、当該循環口を通じて循環する湯水をためる貯水空間を当該浴槽内に区画形成する風呂釜洗浄用容器であって、
前記循環口を囲む断面視凹状の溝部が設けられ、当該溝部の縁に沿ってゴム製のパッキンが取り付けられた枠体と、
内部に収容されたピストンにより、外気に通じる開放室と、前記溝部への空気の流出を阻止する第１の逆流防止弁を介して前記溝部に通じる密閉室とに区画され、前記貯水空間の側面の一部を形成するシリンダとを有し、
前記循環口を囲むようにして前記溝部の開口側を前記浴槽に押し当てて前記溝部内を閉空間とした状態で、前記ピストンを移動させて前記密閉室及び前記溝部内を負圧状態とすることにより前記枠体を前記浴槽に吸着させることを特徴とする風呂釜洗浄用容器。
【請求項２】
請求項１記載の風呂釜洗浄用容器であって、
前記枠体には前記溝部に通じる開放孔が開閉自在に設けられていること、
前記ピストンには前記開放室と前記密閉室とに通じる連通孔が形成され、当該連通孔には前記密閉室への空気の流入を阻止し前記開放室への空気の流出を許容する第２の逆流防止弁が設けられていること、
前記枠体の前記溝部内には一対の仕切板によりゲージ室が区画形成されており、当該ゲージ室内にはスライダが配置されており、一方の仕切板には当該ゲージ室内に連通する小孔が形成され、他方の仕切板には前記スライダが連結されたバネ部材が取り付けられており、前記溝部内の負圧状態に応じて前記小孔を通じて前記ゲージ室内の空気が吸い出されることにより変位する前記スライダの位置を視認する透明窓が前記枠体に設けられていることを特徴とする風呂釜洗浄用容器。
【考案の詳細な説明】
【技術分野】
【０００１】
本考案は、風呂釜洗浄用容器に関し、特に、風呂釜に連通し浴槽に開口する循環口を通じて湯水を循環させる循環式風呂の配管ないし風呂釜を洗浄するのに好適な風呂釜洗浄用容器に関する。  
【背景技術】
【０００２】
一般家庭用の風呂には、配管を通じて風呂釜が連結されており、浴槽内の湯水を風呂釜に送り込んで加熱し、加熱された温水を浴槽へ戻すことによって、浴槽内の湯水の温度を上昇させる循環式風呂がある。浴槽と風呂釜との間で湯水を循環させるため、浴槽には循環口（出入水孔）が開口しており、この循環口に接続された配管を通じて、風呂釜との間で湯水の循環が行われている。このような循環口としては、２穴タイプのものと１穴タイプのものとがある。２穴タイプのものは風呂釜で加熱された温水を浴槽内へ送水する出水孔と浴槽内の水を吸い込んで風呂釜へ送水する入水孔とを上下異なる高さ位置に設けたタイプのものであり、１穴タイプのものは出水孔と入水孔とを同じ位置に設けたものである（特許文献１図２参照）。
【０００３】
風呂を使用すると、風呂の配管ないし風呂釜に湯垢や雑菌等の汚れが付着する。このような汚れを洗浄するための洗剤としては顆粒ないし粉末状のものがあり、浴槽内の所定の高さ位置（例えば循環口より約５ｃｍの高さ位置）まで湯水をためた後、浴槽内に洗剤を投入して溶解させて使用する（例えば、商品名「ジャバ」（登録商標））。洗剤を溶解させた湯水（洗浄液）は、風呂の追い焚き機能により、配管ないし風呂釜内を強制的に循環させ、付着した汚れを洗浄して除菌する。このような洗剤としては、入浴剤の入った残り湯の使用を推奨しないものがあり、その場合には、清浄な水を浴槽に新しくためる必要がある。残り湯を使う場合でも、新たな水をためる場合でも、多量の湯水を使用することになり不経済である。
【０００４】
従来、風呂釜に連通し浴槽に開口する循環口を覆うように配置され、当該循環口を通じて循環する湯水を収容する貯水空間を当該浴槽内に区画形成することによって、風呂釜を洗浄するようにした技術が知られている（例えば、特許文献１および２）。特許文献１に開示される技術は、風呂釜に連通し浴槽の壁面に開口された出入水孔の浴槽内部側の周囲を一定の容積に区画する本体部と、本体部の上部に設けられ洗浄液が注入される洗浄液注入口と、本体部の側部に設けられ浴槽の壁面に当接するシール部とを備えてなる風呂釜の洗浄用具を提案するものであり、浴槽内の湯水をすべて排出した状態で、小容積の容器で出入水孔を覆い、その容器内に水を溜めた後に洗剤を投入して追い焚き機能を作動させて、少量の水で洗浄するようにしたものである。特許文献２に開示される技術は、浴槽内の湯水を吸引して風呂釜に導く吸引口と、風呂釜で加熱された湯水を浴槽に吐出する吐出口とを備えた浴槽に、これら吸引口と吐出口とを覆うようにしてセットされ、洗剤が溶解された洗剤を少なくとも吸引口の開口部分に保持し、洗浄水が風呂釜に吸引されるようにした風呂釜洗浄用具において、吸引口と吐出口とが水没するように湯水が張られた浴槽の壁面にセットされた状態で使用するものである。
【先行技術文献】
【特許文献】
【０００５】
【特許文献１】特開平８−１５９６９５号公報
【特許文献２】特開２００７−１３２６４５号公報
【考案の概要】
【考案が解決しようとする課題】
【０００６】
経済性の観点からは、洗浄に使用する湯水や洗剤は少量であることが好ましい。特許文献１または２に開示される洗浄用具によれば、循環口を通じて循環する湯水を収容する空間を当該浴槽内に区画形成することによって、洗剤が溶解した高濃度の湯水を風呂釜内に循環させたり、洗剤の使用量を節約したりすることができるが、そのためには、当該貯水空間内部に蓄えた湯水が漏出しないように当該洗浄用具を浴槽の壁面に密着させなければならない。
【０００７】
この点、特許文献１に開示される技術によれば、洗浄用具が備えるシール部３は浴槽Ｂの壁面に当接する部分となるもので、本体部１の開放された側部の端面３１にパッキング３２を取り付けてなるものであり、その使用例は、把手４をつかんで本体部１を浴槽Ｂの壁面に押し付けておくと、シール部３のパッキング３２が浴槽Ｂの壁面に圧潰密着するため、洗浄液Ｗの液漏れが生じなくなるとのことである（特許文献１［００１９］［００２３］参照）。しかしながら、この技術によれば、湯水を収容する本体部１は、シール部３のパッキング３２を浴槽Ｂの壁面に圧潰密着するのみで所定の位置に保持するものであるため、その自重により脱落するおそれが高い。加えて、本体部１の容積が小さいと、すぐに湯温が上昇して短時間で追い焚き機能による循環が停止してしまうおそれや、洗剤を溶解させるための攪拌作業を行いにくく、また、湯水に汚れが溜まりやすいという問題があるが、ある程度の容積をもつ容器とすると前述のとおり湯水の自重で本体部１が脱落するおそれが高まる。
【０００８】
一方、特許文献２に開示される技術は、洗浄用具を風呂釜の上部に形成された洗浄剤投入口を除いて水没させることにより、内部の洗浄水の重さで洗浄用具が浴槽の壁面から外れたり洗浄水が漏出して内部が空になるような不都合を防いだりしようとするものである（特許文献２［００１４］［００３６］図１参照）。しかしながら、かかる方法では、所定の高さ位置まで浴槽を湯水で満たす必要があるため、湯水の使用量の節約や掃除の時間短縮につながらない。
【０００９】
本考案は、上記課題に鑑みてなされたものであり、風呂の配管や風呂釜の洗浄をする際において、洗浄のための湯水や洗剤の使用量の節約を図ることができ、かつ、洗浄時間の短縮を図ることが可能な風呂釜洗浄用容器を提供することを目的とする。
【課題を解決するための手段】
【００１０】
本考案の風呂釜洗浄用容器は、風呂釜に連通し浴槽に開口する循環口を覆うように配置され、当該循環口を通じて循環する湯水をためる貯水空間を当該浴槽内に区画形成する風呂釜洗浄用容器であって、
前記循環口を囲む断面視凹状の溝部が設けられ、当該溝部の縁に沿ってゴム製のパッキンが取り付けられた枠体と、
内部に収容されたピストンにより、外気に通じる開放室と、前記溝部への空気の流出を阻止する第１の逆流防止弁を介して前記溝部に通じる密閉室とに区画され、前記貯水空間の側面の一部を形成するシリンダとを有し、
前記循環口を囲むようにして前記溝部の開口側を前記浴槽に押し当てて前記溝部内を閉空間とした状態で、前記ピストンを移動させて前記密閉室及び前記溝部内を負圧状態とすることにより前記枠体を前記浴槽に吸着させることを特徴とする。
【００１１】
さらに、本考案の風呂釜洗浄用容器は、任意的に、
前記枠体には前記溝部に通じる開放孔が開閉自在に設けられていること、
前記ピストンには前記開放室と前記密閉室とに通じる連通孔が形成され、当該連通孔には前記密閉室への空気の流入を阻止し前記開放室への空気の流出を許容する第２の逆流防止弁が設けられていること、
前記枠体の前記溝部内には一対の仕切板によりゲージ室が区画形成されており、当該ゲージ室内にはスライダが配置されており、一方の仕切板には当該ゲージ室内に連通する小孔が形成され、他方の仕切板には前記スライダが連結されたバネ部材が取り付けられており、前記溝部内の負圧状態に応じて前記小孔を通じて前記ゲージ室内の空気が吸い出されることにより変位する前記スライダの位置を視認する透明窓が前記枠体に設けられていることにしても良い。
【考案の効果】
【００１２】
本考案の風呂釜洗浄用容器によれば、風呂の配管や風呂釜の洗浄をする際において、洗浄のための湯水や洗剤の使用量の節約を図ることができ、かつ、洗浄時間の短縮を図ることが可能となる。
【図面の簡単な説明】
【００１３】
【図１】本考案の一実施の形態である風呂釜洗浄用容器の使用状態を模式的に示す斜視図である。
【図２】図１に示す風呂釜洗浄用容器の構造を分解して示す斜視図である。
【図３】図１に示す風呂釜洗浄用容器のうち、枠体の構造を浴槽に当接する裏面側から示した斜視図である。
【図４】図１に示す風呂釜洗浄用容器のうち、枠体の構造を浴槽に当接する裏面側から示した平面図である。
【図５】図１に示す風呂釜洗浄用容器のうち、シリンダの作動状態を模式的に示す縦断面図である。
【考案を実施するための形態】
【００１４】
以下、本考案の一実施の形態である風呂釜洗浄用容器を、図面に基づいて詳細に説明する。図１は、本考案の一実施の形態である風呂釜洗浄用容器１０の使用状態を模式的に示す斜視図であり、説明の便宜上、風呂釜洗浄用容器１０の一部の内部構造を破線で示している。風呂釜洗浄用容器１０は、風呂の配管や風呂釜を洗浄する際に用いられるものであり、図１に示されるとおり、浴槽１内に配置して使用される。なお、図１に示す浴槽１の循環口３はいわゆる１穴式のものであり、出水孔と入水孔とが同じ位置に設けられている。すなわち、浴槽１には、追い焚き機能を有する風呂釜（図示しない）に二重管構造の配管（図示しない）を通じて接続されたカバー付きの循環口３が設けられており、カバー４の正面が風呂釜で加熱された温水を浴槽１内に給水する出水口３ｂとなっており、カバー４の側面が浴槽１内の水を吸い込んで風呂釜へ送水する入水口３ａとなっている。なお、後述のとおり、本考案は出水孔と入水孔の位置が異なる２穴式のものにも適用することができ、また、一般家庭用の風呂に限られず銭湯などの業務用の風呂の配管や風呂釜を洗浄する際にも用いることができる。
【００１５】
本考案の風呂釜洗浄用容器１０は、図１に示すように、風呂釜に連通し浴槽１に開口するカバー４付きの循環口３を覆うように配置され、循環口３を通じて循環する湯水を収容する貯水空間１１を浴槽１内に区画形成するものである。すなわち、循環口３を覆うように風呂釜洗浄用容器１０を浴槽１の内壁２に密着して配置することにより、循環する湯水を収容するための一定の容積を有する貯水空間１１を浴槽１内の循環口３の周囲に区画形成するものである。風呂釜洗浄用容器１０は、浴槽１の底から一定の高さｈ離隔した状態で、浴槽１の内壁２に吸着することにより、浴槽１の内壁２の所定の位置に密着して配置されている。貯水空間１１は、循環口３を囲むようにして浴槽１の内壁２にあてがわれる枠体２０と、枠体２０の下端側において枠体２０に対して略鉛直に固定される長方形状の底板１５と、底板１５の両側端部に相互に対向して配置され枠体２０及び底板１５のそれぞれに対して固定されることにより貯水空間１１の側壁を形成する一対のシリンダ４０と、枠体２０に対向して配置され一対のシリンダ４０及び底板１５のそれぞれに固定される平板１２とを有する。そして、浴槽１の内壁２にあてがわれる枠体２０と、枠体２０に対向して配置される平板１２と、一対のシリンダ４０と、長方形状の底板１５とにより、一定の容積を有する略直方体状の貯水空間１１が浴槽１内に区画形成されている。
【００１６】
次に、風呂釜洗浄用容器１０の構造を説明する。図２は、図１に示す風呂釜洗浄用容器１０の構造を分解して示す斜視図であり、説明の便宜上、シリンダ４０の一部の内部構造を破線で示している。底板１５は長方形状の平板であり、中央部近傍には排水口１６が形成されている。この排水口１６には円錐台型のゴム栓１７が挿入されており、ゴム栓１７に連結されるヒモ（図示しない）を引き上げることにより開栓して、貯水空間１１内に溜められた湯水を排水口１６から排出することができるようになっている。
【００１７】
図３は、図１に示す風呂釜洗浄用容器１０のうち枠体２０の構造を浴槽１に当接する裏面側から示した斜視図であり、図４は、図１に示す風呂釜洗浄用容器１０のうち枠体２０の構造を浴槽１に当接する裏面側から示した平面図である。枠体２０は、循環口３を囲む断面視凹状の溝部２１を有し、溝部２１の縁２２に沿って樹脂（ゴム）製のパッキン２３が設けられている。本件枠体２０は、循環口３を囲む寸法に形成され、正面視で略ロ字状に構成されており、浴槽１内に配置しやすいように枠体２０の角部は円弧状に加工されている。図３及び図４に示すとおり、枠体２０は断面視凹状の溝形に形成され、循環口３を囲むように配置され浴槽１に当接する矩形状の内周側縁部２２ａと、内周側縁部２２ａを囲むように配置され浴槽１に当接する矩形状の外周側縁部２２ｂのそれぞれに、弾性変形して浴槽１に密着するゴム製のパッキン２３が取り付けられている。パッキン２３は、内周側縁部２２ａ、および、外周側縁部２２ｂに対応する略ロ字状の形状にそれぞれ加工されている。枠体２０の上方には溝部２１に通じる開放孔２４が形成されており、枠体２０の下方には溝部２１に連通する吸気孔２６が形成されている。開放孔２４には、ゴム製の蓋体２５が平常状態で閉じた状態で装着されており、蓋体２５のタブを掴んで上方に引き上げることにより、外気が開放孔２４内に進入することが可能となっている。
【００１８】
風呂釜洗浄用容器１０は、内部に収容されたピストン４１により、外気に通じる開放室４４と、溝部２１への空気の流出を阻止する第１の逆流防止弁４７を介して溝部２１に通じる密閉室４５とに区画され、貯水空間１１の側面の一部を形成するシリンダ４０を備えている。図５は、図１に示す風呂釜洗浄用容器１０のうちシリンダ４０の作動状態を模式的に示す縦断面図であり、（ａ）は第１の逆流防止弁４７が閉じた状態を示し、（ｂ）密閉室４５を負圧状態にした状態で第１の逆流防止弁４７が開いた状態を示している。図１、図２及び図５に示すように、シリンダ４０は上方に開口する箱状のシリンダであり、その内部には上下方向に摺動移動自在にピストン４１が収容されている。ピストン４１には上方に延びるロッド４２が固定されており、ロッド４２の上端は横棒４３により相互に連結されている。横棒４３を把持して上下動させると、それぞれのシリンダ４０に収容されたピストン４１を同時に上下移動させることができる。ピストン４１の周面には図示しないゴム製のパッキンが装着されており、ピストン４１はシリンダ４０内部の所定の位置に擦接してその位置を保持することができる。ピストン４１をシリンダ４０内部に収容した状態では、シリンダ４０の内部はピストン４１を挟んで開放室４４と密閉室４５とに区画される（図５参照）。開放室４４は上方に開口して外気に通じており、ピストン４１の上下位置に関係なく常に大気圧に等しい。密閉室４５は閉空間であり、ピストン４１を上方に移動させて密閉室４５の容積が増えると負圧状態となる。
【００１９】
シリンダ４０の下方部には枠体２０の吸気孔２６に連通する通気孔４６が形成されており、図５（ａ）に示すとおり、シリンダ４０の内部には平常の状態で通気孔４６を塞ぐように第１の逆流防止弁４７が取り付けられている。第１の逆流防止弁４７は、溝部２１から密閉室４５への空気の流入を許容し、密閉室４５から溝部２１への空気の流出を阻止するものである。本件の第１の逆流防止弁４７は、ゴム製の部材であり、平常の状態で通気孔４６を塞ぐように配置される弁本体４７ａと、弁本体４７ａの上部に設けられシリンダ４０の内壁面に取り付けられる取付部４７ｂとにより構成される。ピストン４１を上方に移動させて密閉室４５を負圧状態とすると、図５（ｂ）に示すとおり、弁本体４７ａが取付部４７ｂを起点として上方に開き、溝部２１の空気が吸気孔２６及び通気孔４６を介して密閉室４５内に流れ込む。一方、ピストン４１を下方に移動させて密閉室４５内の気圧を高めても、第１の逆流防止弁４７が溝部２１への空気の流出を阻止する。本考案においては、第１の逆流防止弁４７を用いたことにより密閉室４５を所望の容積に維持することができるので、密閉室４５内に溝部２１内の空気を取り込むことにより枠体２０に生じる吸着力を任意に調整することが可能となる。すなわち、所望の吸着力が得られるまで、ピストン４１を上方に移動させることにより密閉室４５内の容積を増加させた状態において、密閉室４５内の空気が溝部２１内へ流出しない構造となっているため、溝部２１内の負圧状態が維持され、枠体２０に生じる吸着力を所望の大きさに調整することが可能となる。なお、ピストン４１を下方に移動させたい場合には、通気孔４６内に指を入れて弁本体４７ａを押し込んで、図５（ｂ）のような弁本体４７ａを上方に開いた状態とすることにより、密閉室４５内の空気を外部へ排出することもできる。
【００２０】
ピストン４１には、開放室４４と密閉室４５とに通じる連通孔４８が形成されている。連通孔４８の開放室４４側の開口部には、開放室４４から密閉室４５への空気の流入を阻止し、密閉室４４から開放室４４への空気の流出を許容する第２の逆流防止弁４９が設けられている。第２の逆流防止弁４９は、ゴム製の部材であり、平常の状態で連通孔４８を塞ぐように配置される弁本体４９ａと、弁本体４９ａの側部に設けられピストン４１の上面に取り付けられる取付部４９ｂとにより構成される。前述のとおり、溝部２１内を負圧状態にするためピストン４１を上方に移動させることにより溝部２１内の空気を密閉室４５内に取り込んだ後、ピストン４１を下方に移動させたい場合には、横棒４３をつかんで押し下げると、密閉室４５が一時正圧状態となるため、図５（ａ）に示すように弁本体４９ａが上方に開いて、密閉室４５内の空気が開放室４５側へ流出する。これにより、ピストン４１の下方移動が容易となり、密閉室４５内の圧力を高めることなく、密閉室４５の容積を減らすことができる。このような第１の逆流防止弁４７および第２の逆流防止弁４９の作動により、ピストン４１を繰り返し上下移動させることによって、溝部２１内の空気を密閉室４５内へ徐々に抜き出し、溝部２１内の負圧状態を高めることができる。なお、弁本体４９ａは、平常の状態では連通孔４８を塞ぐように配置されており、ピストン４１を上方に引き上げた場合には図５（ｂ）に示すように連通孔４８を塞いだ状態であり、ピストン４１を下方に押し下げた場合には、図５（ａ）に示すように取付部４９ｂを起点として上方に開くようになっている。
【００２１】
次に、風呂釜洗浄用容器１０の使用方法について説明する。先ず、浴槽１内の湯水を抜いて、浴槽１内をカラにしておく。排水口１６はゴム栓１７により閉栓しておく。次いで、風呂釜洗浄用容器１０を片手で把持して、図１に示すように、風呂釜洗浄用容器１０の枠体２０を、循環口３を囲むようにして浴槽１の内壁２に向けて押し当てて枠体２０を浴槽１に当接させることにより、パッキン２３を弾性変形させて溝部２１の開口側を浴槽１の内壁２に密着させ、溝部２１内を閉空間とする。その後、もう片方の手で横棒４３をつかんで上方に引き上げ、ピストン４１を上方に移動させる。これにより、密閉室４５が負圧状態となり、溝部２１内の空気が密閉室４５内に流入することによって溝部２１内が負圧状態となり、枠体２０が浴槽１の内壁２に密着する。溝部２１内を負圧状態とすることにより、ゴム製の蓋体２５は開放孔２４に密着して閉栓する。なお、密閉室４５内に流入した空気は、第１の逆流防止弁４７により溝部２１内に戻らないため（図５参照）、横棒４３から手を放した状態でも、負圧効果による枠体２０の密着状態は維持される。浴槽１の内壁２への密着力が弱い場合には、ピストン４１を繰り返し上下移動させることによって、密閉室４５内に溝部２１内の負圧状態を高めて、密着力を高めることができる。
【００２２】
この状態で、貯水空間１１内に、桶やシャワーホース等を用いて、水位が循環口３よりも高くなるまで貯水空間１１内に水を溜める。前述のとおり、風呂釜洗浄用容器１０は浴槽１の内壁２に強固に密着しているため、相当量の水を溜めても容易に脱落しない。そして、貯水空間１１内に洗剤を投入して溶解させた後、風呂の追い焚き機能より、洗剤を溶解させた湯水（洗浄液）を循環させて配管や風呂釜を洗浄する。洗浄後は、ヒモを引き上げてゴム栓１７を抜くことにより排水する。浴槽１の内壁２に密着した風呂釜洗浄用容器１０を取り外す際には、開放孔２４に装着された蓋体２５を掴んでめくり上げ、外気を溝部２１内に取り込んで負圧状態を解消することにより、枠体２０を内壁２から容易に引きはがすことができる。
【００２３】
本考案によれば、風呂の配管や風呂釜の洗浄をする際において、浴槽１内において一定の容積に区画形成された貯水空間１１内に収容された湯水を利用して洗浄作業を行うことができるため、洗浄のための湯水や洗剤の使用量の節約を図ることができる。特許文献２に開示される技術のように、所定の高さ位置まで浴槽を湯水で満たす必要がない。洗浄のための湯水の使用量が少ないため、多量の洗剤を投入しなくても高濃度の洗浄液とすることも可能である。通常、浴槽に水を溜めるまでに長時間を要するが、本考案によれば浴槽に比して小容積の貯水空間１１内に水を溜めることにより洗浄を行うものであり、洗浄時間の短縮を図ることが可能となる。
【００２４】
さらに、本考案によれば、浴槽１に対して風呂釜洗浄用容器１０を強固に吸着させることができる。そのため、風呂釜洗浄用容器１０を脱落させることなく、従来技術に比して、貯水空間の容積を大きく設定することも可能であり、これにより、すぐに湯温が上昇して短時間で追い焚き機能による循環が停止してしまうおそれや、洗剤を溶解させるための攪拌作業を行いにくく、また、湯水に汚れが溜まりやすいという問題を解消することも可能である。
【００２５】
浴槽の素材としては、ＦＲＰ（ガラス繊維強化プラスチック）製、ホーロー製、ステンレス製、木製、タイル製、大理石製のもの等があり、浴槽の内壁が平滑であるものとは限らず、ゴム製のパッキンとの相性が悪いものもあり、例えば特許文献１に開示される技術のようにパッキンを押し込んで圧潰密着させるのみでは、吸着できない（若しくは容易に脱落してしまう）ことが想定される。この点、本考案によれば、風呂釜洗浄用容器１０の枠体２０を浴槽１の内壁２に向けて押し当てて、樹脂製パッキン２３を弾性変形させることにより、ゴム製パッキン２３が浴槽の内壁の凹凸に対応して弾性変形して密着し、溝部２１内を負圧状態として、その負圧効果により枠体２０の密着状態を維持するものであるため、様々な素材の浴室に対応することが可能である。
【００２６】
本実施の形態においては、枠体２０の溝部２１は一対の仕切板２７によりゲージ室２８が区画形成されている。このゲージ室２８内には溝部２１に沿って摺動移動可能なスライダ３０が内周側縁部２２ａと外周側縁部２２ｂに挟み込まれるように配置されており、一方の仕切板２７にはゲージ室２８内に連通する小孔２９が形成され、他方の仕切板２７にはスライダ３０が連結されたバネ部材３１が取り付けられている。そして、枠体２０には、スライダ３０の位置を外方から視認することが可能な透明窓３２が設けられている。このような構成をとることにより、ピストン４１を上方に引き上げることにより、溝部２１内の空気とともに小孔２９を通じて仕切板２７とスライダ３０とにより区画された計測室２８ａ内の空気が密閉室４５内に吸い込まれて、溝部２１内の負圧に比例して、スライダ３０が仕切板２７に向けて変位する。この変位を透明窓３２から視認することにより、溝部２１内の負圧状態を確認することができる。仮に、外気が枠体２０と浴槽１の内壁２の隙間等から溝部２１内に流入して、溝部２１内の負圧状態が低下した場合には、バネ部材３１によりスライダ３０が初期位置に引き戻されるため、このスライダ３０の変位量を確認することにより、溝部２１内の負圧力の低下を確認することができ、負圧力が低下した場合には、ピストン４１を上方に引き上げることにより負圧力を回復することができる。
【００２７】
前記実施の形態においては、循環口３を囲むようにして浴槽１の内壁２に取り付けられる枠体２０は、正面視で略ロ字状の形状のものであるが、これに限られず、ドーナツ状のものなど循環口３を囲むようにして取り付けることが可能な形状であれば任意の形状をとることができ、内周側縁部と外周側縁部の形状も相似形状である必要はない。また、本考案は二穴式の浴槽にも用いることができ、より具体的には、入水孔と出水孔の双方を囲むような形状ないし寸法の枠体を用いることにより、二穴式の浴槽にも適用することができる。枠体２０には蓋体２５により溝部２１に通じる開放孔２４が開閉自在に設けられているが、蓋体２５に変えて、キャップや栓を用いることも可能である。
【００２８】
さらに、シリンダ４０は貯水空間１１の側面の一部を形成するものであるところ、前記実施の形態においては、上方に開口する箱状のものであるが、これに変えて筒状のものを用いるようにしても良く、また、底板１５の両側端部に相互に対向して配置されているが、いずれか一方のみに配置するようにしても良い。また、平板１２が枠体２０に対向して配置されているが、平板１２に変えて、シリンダを設けるようにしても良い。その他、底板１５は長方形状の平板であるが、貯水空間１１の底面を形成することができれば足りるので、その形状はこれに限られるものではなく任意である。密閉室４５の負圧状態を維持するため、前記実施の形態においては、第１の逆流防止弁４７を用いているが、これに変えて、ロッド４２を所定の位置に固定するための固定具を設けてピストン４１の移動による密閉室４５の容積変化が生じないようにすることによって、密閉室４５の負圧状態を維持するようにしても良い。
【００２９】
以上、各種の実施の形態ないし実施例に基づいて本発明を説明したが、本発明の技術的範囲が上記の形態ないし実施例に限定されないことはいうまでもない。
【産業上の利用可能性】
【００３０】
本発明は、風呂の配管や風呂釜の洗浄をする際に利用することが可能である。
【符号の説明】
【００３１】
１    浴槽
２    （浴槽の）内壁
３    循環口
３ａ  入水口
３ｂ  出水口
４    カバー
１０    風呂釜洗浄用容器
１１    貯水空間
１２    平板
１５    底板
１６    排水口
１７    ゴム栓
２０    枠体
２１    溝部
２２    （溝部の）縁
２２ａ  内周側縁部
２２ｂ  外周側縁部
２３    パッキン
２４    開放孔
２５    開放栓
２６    吸気孔
２７    仕切板
２８    ゲージ室
２８ａ  計測室
２９    小孔
３０    スライダ
３１    バネ部材
３２    透明窓
４０    シリンダ
４１    ピストン
４２    ロッド
４３    横棒
４４    開放室
４５    密閉室
４６    通気孔
４７    第１の逆流防止弁
４７ａ  弁本体
４７ｂ  取付部
４８    連通孔
４９    第２の逆流防止弁
４９ａ  弁本体
４９ｂ  取付部
【図１】
0003210746.tif 000003
【図２】
0003210746.tif 000004
【図３】
0003210746.tif 000005
【図４】
0003210746.tif 000006
【図５】
0003210746.tif 000007